(57)【要約】ターゲットにメッセージを送信するシステムは、送信者により操作され、メッセージを目的の受信者に通信ネットワークを介して送信する送信ワークステーションと、受信者により操作され、メッセージを送信者から通信ネットワークを介して受信する受信ワークステーションと、メッセージの送信に応答し、多数の異なるコードのうち所望のコードを送信メッセージに挿入する挿入手段と、前記多数のコードのうち所望のコードを送信メッセージに対して選択するための多数の格納された選択ルールを有する決定リポジトリと、挿入されたコードを受信ワークステーションに表示するための表示装置とを具える。【特許請求の範囲】
【請求項１】
ターゲットにメッセージを送信するシステムであって、
送信者によって操作され、通信ネットワークを介して目的の受信者にメッセージを送信する送信ワークステーションと、
受信者によって操作され、通信ネットワークを介して送信者からのメッセージを受信する受信ワークステーションと、
メッセージの送信に応答し、多数の異なるコードのうちの所望のコードを前記送信メッセージに挿入する挿入手段と、
多数の異なるコードのうちの所望のコードを前記送信メッセージに対して選択する少なくとも一つの格納された選択ルールを有する決定リポジトリと、
前記挿入されたコードを受信ワークステーションにおいて表示する表示装置とを具えたシステム。
【請求項２】
請求項１に記載のターゲットにメッセージを送信するシステムにおいて、前記挿入手段は、メッセージの送信に応答し、複数の異なる所望のコードを前記送信メッセージに挿入するシステム。
【請求項３】
前記挿入手段を、送信ワークステーションと通信可能なアプリケーションサーバで実行可能なアプリケーションプログラムとする、請求項１または２のいずれか一項に記載のターゲットにメッセージを送信するシステム。
【請求項４】
前記決定リポジトリは、メッセージについて許可された受信者の情報を格納したレジスタを含む、請求項１から３のいずれか一項に記載のターゲットにメッセージを送信するシステム。
【請求項５】
前記決定リポジトリは、メッセージについて許可された送信者の情報を格納したレジスタも含む、請求項４に記載のターゲットにメッセージを送信するシステム。
【請求項６】
前記決定リポジトリは、さらに、送信メッセージに挿入可能な多数の異なるコードを格納したレジスタを含む、請求項５に記載のターゲットにメッセージを送信するシステム。
【請求項７】
前記決定リポジトリは、さらに、前記送信メッセージに挿入される所望のコードを選択するために格納された多数の異なる選択ルールを有する選択ルールデータベースを含む、請求項６に記載のターゲットにメッセージを送信するシステム。
【請求項８】
前記許可された送信者の情報を格納したレジスタにおける各送信者情報は、前記挿入可能なコードを格納したレジスタにおけるコードのうち対応する好適なコードにリンクする、請求項７に記載のターゲットにメッセージを送信するシステム。
【請求項９】
前記許可された受信者の情報を格納したレジスタにおける各受信者情報も、前記挿入可能なコードを格納したレジスタにおけるコードのうち対応する好適なコードにリンクする、請求項８に記載のターゲットにメッセージを送信するシステム。
【請求項１０】
前記挿入可能なコードを格納したレジスタにおけるコードのうち一つのコードを、デフォルトの挿入可能なコードとする、請求項９に記載のターゲットにメッセージを送信するシステム。
【請求項１１】
前記選択ルールのデータベースに格納された選択ルールのうちの第１のルールは、前記メッセージの受信者が許可された受信者である場合に、前記メッセージの受信者に対応してリンクした好適なコードを、メッセージに挿入される所望のコードとして選択する請求項１０に記載のターゲットにメッセージを送信するシステム。
【請求項１２】
前記選択ルールのデータベースに格納された選択ルールのうちの第２のルールは、前記メッセージの受信者が許可された受信者でなく、前記送信者が許可された送信者である場合に、前記メッセージの送信者に対応してリンクした好適なコードをメッセージに挿入される所望のコードとして選択する請求項１１に記載のターゲットにメッセージを送信するシステム。
【請求項１３】
前記選択ルールのデータベースに格納された選択ルールのうちの第２のルールは、前記メッセージの受信者が許可された受信者でなく、前記送信者が許可された送信者でない場合に、前記デフォルトの挿入可能なコードをメッセージに挿入される所望のコードとして選択する請求項１２に記載のターゲットにメッセージを送信するシステム。
【請求項１４】
前記システムのユーザが操作可能な構成装置を含む請求項１３に記載のターゲットにメッセージを送信するシステム。
【請求項１５】
前記構成装置は、許可された受信者の情報を格納したレジスタから受信者情報を追加し及び削除するために操作可能である請求項１４に記載のターゲットにメッセージを送信するシステム。
【請求項１６】
前記構成装置は、許可された送信者の情報を格納したレジスタから送信者情報を追加し及び削除するために操作可能である請求項１５に記載のターゲットにメッセージを送信するシステム。
【請求項１７】
前記構成装置は、挿入可能なコードを格納したレジスタからコードを追加し及び削除するために操作可能である請求項１６に記載のターゲットにメッセージを送信するシステム。
【請求項１８】
前記構成装置は、挿入可能なコードを格納したレジスタにおけるコードの一つを、前記許可された受信者及び許可された送信者のうち一つまたはそれ以上の受信者及び送信者に、それに対応する好適に挿入可能なコードとしてリンクし及びリンク解除するために操作可能である請求項１７に記載のターゲットにメッセージを送信するシステム。
【請求項１９】
前記構成装置は、デフォルトの挿入可能なコードを追加し及び削除するために操作可能である請求項１８に記載のターゲットにメッセージを送信するシステム。
【請求項２０】
前記所望の挿入可能なコードを、受信者が情報のリポジトリにアクセスするように動作可能とする請求項１９に記載のターゲットにメッセージを送信するシステム。
【請求項２１】
前記情報のリポジトリにアクセスする挿入可能なコードの動作を検出するために使用可能な検出装置を含む請求項２０に記載のターゲットにメッセージを送信するシステム。
【請求項２２】
前記送信者が目的の受信者に送信するメッセージをｅメールメッセージとする請求項１から２１のいずれか一項に記載のターゲットにメッセージを送信するシステム。
【請求項２３】
前記通信ネットワークをオープン通信ネットワークとする請求項１から２２のいずれか一項に記載のターゲットにメッセージを送信するシステム。
【請求項２４】
前記オープン通信ネットワークをインターネットとする請求項２３に記載のターゲットにメッセージを送信するシステム。
【請求項２５】
前記情報のリポジトリをインターネットにおけるワールドワイドウェブのウェブサイトとする請求項２４に記載のターゲットにメッセージを送信するシステム。
【請求項２６】
ターゲットにメッセージの送信を行う方法であって、
送信者から目的の受信者に送信されるメッセージに、多数の異なるコードのうちの所望のコードを挿入するステップであって、決定リポジトリに格納された少なくとも一つの選択ルールに従って選択されたコードをメッセージに挿入するステップと、
前記メッセージを目的の受信者に通信ネットワークに沿って送信するステップと、
送信者から通信ネットワークに沿って送信されたメッセージを受信するステップと、
前記挿入されたコードを受信ワークステーションに表示するステップとを有するターゲットにメッセージの送信の行う方法。
【請求項２７】
前記目的の受信者に通信ネットワークに沿って転送する前に、複数の異なる所望のコードを前記送信メッセージに挿入するステップを含む請求項２６に記載のターゲットにメッセージの送信を行う方法。
【請求項２８】
前記複数の異なるコードのうち所望のコードを、アプリケーションサーバで実行可能なアプリケーションプログラムによって前記メッセージに挿入する請求項２６または２７のいずれか一項に記載のターゲットにメッセージの送信を行う方法。
【請求項２９】
前記メッセージについて許可された受信者の情報を格納したレジスタを前記決定リポジトリに含む請求項２６から２８のいずれか一項に記載のターゲットにメッセージの送信を行う方法。
【請求項３０】
前記メッセージについて許可された送信者の情報を格納したレジスタも前記決定リポジトリに含む請求項２９に記載のターゲットにメッセージの送信を行う方法。
【請求項３１】
さらに、前記送信メッセージに挿入可能な多数の異なるコードを格納したレジスタを前記決定リポジトリに含む請求項３０に記載のターゲットにメッセージの送信を行う方法。
【請求項３２】
さらに、前記送信メッセージに挿入される所望のコードを選択するために、格納された多数の異なる選択ルールを有する選択ルールデータベースを前記決定リポジトリに含む請求項３１に記載のターゲットにメッセージの送信を行う方法。
【請求項３３】
前記許可された送信者の情報を格納したレジスタにおける各送信者情報を、前記挿入可能なコードを格納したレジスタにおけるコードのうち対応する好適なコードにリンクする請求項３２に記載のターゲットにメッセージの送信を行う方法。
【請求項３４】
前記許可された受信者の情報を格納したレジスタにおける各受信者情報を、前記挿入可能なコードを格納したレジスタにおけるコードのうち対応する好適なコードにリンクする請求項３３に記載のターゲットにメッセージの送信を行う方法。
【請求項３５】
前記挿入可能なコードを格納したレジスタにおけるコードのうちの一つのコードを、デフォルトの挿入可能なコードに指定する請求項３４に記載のターゲットにメッセージの送信を行う方法。
【請求項３６】
前記受信者が許可された受信者である場合に、前記メッセージの受信者に対応してリンクした好適なコードを、前記メッセージに挿入する所望のコードとして選択する請求項３５に記載のターゲットにメッセージの送信を行う方法。
【請求項３７】
前記メッセージの受信者が許可された受信者でなく、前記送信者が許可された送信者である場合に、前記メッセージの送信者に対応してリンクした好適なコードを、前記メッセージに挿入するための所望のコードとして選択する請求項３６に記載のターゲットにメッセージの送信を行う方法。
【請求項３８】
前記メッセージの受信者が許可された受信者でなく、前記送信者が許可された送信者でない場合に、前記デフォルトの挿入可能なコードを、前記メッセージに挿入するための所望のコードとして選択する請求項３７に記載のターゲットにメッセージの送信を行う方法。
【請求項３９】
さらに、前記決定リポジトリを構成するステップを含む請求項３８に記載のターゲットにメッセージの送信を行う方法。
【請求項４０】
前記決定リポジトリを、前記許可された受信者の情報を格納したレジスタから受信者情報を追加し及び削除することにより構成する請求項３９に記載のターゲットにメッセージの送信を行う方法。
【請求項４１】
前記決定リポジトリを、前記許可された送信者の情報を格納したレジスタから送信者情報を追加し及び削除することにより構成する請求項４０に記載のターゲットにメッセージの送信を行う方法。
【請求項４２】
前記決定リポジトリを、前記挿入可能なコードを格納したレジスタからコードを追加し及び削除することにより構成する請求項４１に記載のターゲットにメッセージの送信を行う方法。
【請求項４３】
前記決定リポジトリは、前記挿入可能なコードを格納したレジスタにおけるコードの一つを、前記許可された受信者及び許可された送信者のうちの一つまたはそれ以上の受信者及び送信者に、それに対応する好適に挿入可能なコードとしてリンクし及びリンク解除することにより構成される請求項４２に記載のターゲットにメッセージの送信を行う方法。
【請求項４４】
前記決定リポジトリは、前記デフォルトの挿入可能なコードを選択し及び選択解除することにより構成される請求項４２に記載のターゲットにメッセージの送信を行う方法。
【請求項４５】
さらに、前記受信者が情報のリポジトリにアクセスするように所望の挿入されたコードを動作させるステップを含む請求項２６から４４のいずれか一項に記載のターゲットにメッセージの送信を行う方法。
【請求項４６】
さらに、前記情報のリポジトリにアクセスするための挿入可能なコードの動作を検出するステップを含む請求項４５に記載のターゲットにメッセージの送信を行う方法。
【請求項４７】
ターゲットにメッセージを送信するシステムであって、本質的に添付図面を参照して説明し、添付図面に示したシステム。
【請求項４８】
ターゲットにメッセージの送信を行うシステムであって、本質的に添付図面を参照して説明した方法。
【発明の詳細な説明】
【技術分野】
【０００１】
本発明は、ターゲットにメッセージを送信するシステムに関し、特に、インターネットのようなオープン通信ネットワークにおいて、ターゲットに電子メッセージの送信を行うシステムに関するものである。本発明は、ターゲットにメッセージの送信を行う方法に拡張する。
【背景技術】
【０００２】
インターネットのようなオープン通信ネットワークの出現によって、ｅメールのような電子メッセージ送信が流行し広く利用されてきた。今日、ｅメールは、ビジネス及び個人によって利用者間の書き込み通信用の好適な媒体として広く利用されている。
【０００３】
通常のｅメールの欠点は、ｅメールが主にキャラクターベースになっていることである。グラフィック画像をｅメールメッセージに含ませることは可能であるが、現行の方法では、それを実現するのに取り扱いが難しく時間が消費してしまう。従って、ビジネスの会社は、通信文書、封筒、贈呈票及び名刺のような文房具をカスタマイズするかもしれないが、ｅメールは一般にテキスト文のみのメッセージとして送信され、それにより会社のブランドの認識を促進する機会を失ってしまう。
【０００４】
同様に、特にｅメールメッセージの受信者をターゲットにするマーケティングを行うためにｅメールメッセージを利用することは、今まで困難であった。この困難に対処するため、一つまたはそれ以上のクリック可能なアイコン（または“バナー”）をｅメールメッセージに組み込む手段が試みられた。メッセージの受信者は、そのメッセージに含まれるバナーをクリックすることができ、そして、そのバナーに関連したインターネットウェブサイトに切り換える。しかしながら、この方法では、特にそのメッセージの受信者をターゲットにするマーケティングを行うことができない。
【０００５】
ｅメールによりインターネット宣伝バナーを広める他の方法には、いわゆる“オプトイングループ”を介するものがある。その方法では、専ら宣伝をベースにしたｅメールメッセージを受信する個人のクローズしたグループに任意に加入し、通常ある金銭的報酬に交換する。そのオプトイングループの例として、２４７ｍｅｄｉａ．ｃｏｍのＵＲＬで利用可能な“Ｅマージ”グループがある。
【発明の開示】
【発明が解決しようとする課題】
【０００６】
本発明の目的は、ターゲットにメッセージを送信するシステム及びターゲットにメッセージの送信を行う方法を提供することにあり、少なくとも一部について上述した困難及び欠点を解決することにある。
【課題を解決するための手段】
【０００７】
本発明によれば、ターゲットにメッセージを送信するシステムであって、送信者によって操作され、メッセージを目的の受信者に通信ネットワークを介して送信する送信ワークステーションと、受信者によって操作され、メッセージを送信者から通信ネットワークを介して受信する受信ワークステーションと、メッセージの送信に応答し、多数の異なるコードのうちの所望のコードを送信メッセージに挿入する挿入手段と、前記多数のコードのうちの所望のコードを送信メッセージに対して選択するための少なくとも一つの格納された選択ルールを有する決定リポジトリと、挿入されたコードを受信ワークステーションにおいて表示する操作可能な表示装置とを具えるシステムを提供する。
【０００８】
さらに、本発明は、メッセージの送信に応答し、多数の異なる所望のコードを送信メッセージに挿入する挿入手段と、送信ワークステーションと通信可能なアプリケーションサーバで実行可能なアプリケーションプログラムである挿入手段と、メッセージについて許可された受信者の情報を格納したレジスタを含む決定リポジトリ（ｒｅｐｏｓｉｔｏｒｙ）と、メッセージについて許可された送信者の情報を格納したレジスタも含む決定リポジトリと、さらに送信メッセージに挿入可能な多数の異なるコードを格納したレジスタを含む決定リポジトリと、さらに送信メッセージに挿入される所望のコードを選択するために格納された多数の異なる選択ルールを有する選択ルールデータベースと、挿入可能なコードを格納したレジスタにおけるコードのうち対応する好適なコードにリンクした、許可された送信者の情報を格納したレジスタにおける各送信者情報と、挿入可能なコードを格納したレジスタにおけるコードのうち対応する好適なコードにもリンクした、許可された受信者の情報を格納したレジスタにおける各受信者情報と、デフォルトの挿入可能なコードである、挿入可能なコードを格納したレジスタにおけるコードのうちの一つのコードとを提供することを特徴とする。
【０００９】
さらに、本発明は、受信者が許可された受信者である場合に、メッセージの受信者に対応してリンクした好適なコードをメッセージに挿入するための所望のコードとして選択する、選択ルールのデータベースに格納された選択ルールのうちの第１のルールと、メッセージの受信者が許可された受信者でなく、送信者が許可された送信者である場合に、メッセージの送信者に対応してリンクした好適なコードをメッセージに挿入するための所望のコードとして選択する、選択ルールのデータベースに格納された選択ルールのうちの第２のルールと、メッセージの受信者が許可された受信者でなく、送信者が許可された送信者でない場合に、デフォルトの挿入可能なコードをメッセージに挿入するための所望のコードとして選択する、格納された選択ルールのデータベースにおける選択ルールのうちの第３のルールとを提供することを特徴とする。
【００１０】
さらに、本発明は、システムのユーザが操作可能な構成装置を含むシステムと、許可された受信者の情報を格納したレジスタから受信者情報を追加し削除するために操作可能な構成装置と、許可された送信者の情報を格納したレジスタから送信者情報を追加し削除するために操作可能な構成装置と、挿入可能なコードを格納したレジスタからコードを追加し削除するために操作可能な構成装置と、挿入可能なコードのレジスタにおけるコードの一つを、許可された受信者及び許可された送信者の一つまたはそれ以上の受信者及び送信者に、それに対応する好適に挿入可能なコードとしてリンクしリンク解除するために操作可能な構成装置と、デフォルトの挿入可能なコードを選択し選択解除するために操作可能な構成装置とを提供することを特徴とする。
【００１１】
また、受信者が情報のリポジトリにアクセスするように動作する所望の挿入可能なコードと、情報のリポジトリにアクセスするための挿入可能なコードの動作を検出するために使用可能な検出装置を含むシステムと、送信者によって目的の受信者に送信されるｅメールメッセージであるメッセージと、オープン通信ネットワークである通信ネットワークと、インターネットであるオープン通信ネットワークと、インターネットにおけるワールドワイドウェブのウェブサイトである情報のリポジトリとを供給する。
【００１２】
本発明は、ターゲットにメッセージの送信を行う方法であって、送信者が目的の受信者に送信するために多数の異なるコードのうち所望のコードをメッセージに挿入するステップと、その多数の異なるコードのうち所望のコードは、決定リポジトリに格納された少なくとも一つの選択ルールに従って選択されているコードであり、メッセージを目的の受信者に通信ネットワークに沿って送信するステップと、メッセージを送信者から通信ネットワークに沿って受信するステップと、挿入されたコードを受信ワークステーションに表示するステップとを有する方法に拡張する。
【００１３】
さらに、目的の受信者に通信ネットワークに沿って転送する前に、多数の異なる所望のコードを送信メッセージに挿入するステップと、多数の異なるコードのうち所望のコードをアプリケーションサーバで実行可能なアプリケーションプログラムによって挿入するステップと、メッセージについて許可された受信者の情報を格納したレジスタを決定リポジトリに含むステップと、メッセージについて許可された送信者の情報を格納したレジスタも決定リポジトリに含むステップと、さらに送信メッセージに挿入可能な多数の異なるコードを格納したレジスタを決定リポジトリに含むステップと、さらに送信メッセージに挿入される所望のコードを選択するために、格納された多数の異なる選択ルールを有する選択ルールデータベースを決定リポジトリに含むステップと、許可された送信者の情報を格納したレジスタにおける各送信者を、挿入可能なコードのレジスタにおけるコードのうち対応する好適なコードにリンクするステップと、許可された受信者の情報を格納したレジスタにおける各受信者を、挿入可能なコードを格納したレジスタにおけるコードのうち対応する好適なコードにリンクするステップと、挿入可能なコードを格納したレジスタにおけるコードのうち一つのコードをデフォルトの挿入可能なコードに指定するステップを提供する。
【００１４】
さらに、受信者が許可された受信者である場合に、メッセージの受信者に対応してリンクした好適なコードをメッセージに挿入するために所望のコードとして選択するステップと、メッセージの受信者が許可された受信者でなく、送信者が許可された送信者である場合に、メッセージの送信者に対応してリンクした好適なコードをメッセージに挿入するために所望のコードとして選択するステップと、メッセージの受信者が許可された受信者でなく、送信者が許可された送信者でない場合に、デフォルトの挿入可能なコードをメッセージに挿入するために所望のコードとして選択するステップを提供する。
【００１５】
さらに、決定リポジトリを構成する更なるステップを含む方法であって、許可された受信者の情報を格納したレジスタから受信者情報を追加し削除することにより決定リポジトリを構成するステップと、許可された送信者の情報を格納したレジスタから送信者情報を追加し削除することにより決定リポジトリを構成するステップと、挿入可能なコードを格納したレジスタからコードを追加し削除することにより決定リポジトリを構成するステップと、挿入可能なコードを格納したレジスタにおけるコードの一つを、許可された受信者及び許可された送信者のうち一つまたはそれ以上の受信者及び送信者に、それに対応する好適に挿入可能なコードとしてリンクしリンク解除することにより決定リポジトリを構成するステップと、デフォルトの挿入可能なコードを選択し選択解除することにより決定リポジトリを構成するステップとを有する方法を提供する。
【００１６】
さらに、受信者が情報のリポジトリにアクセスするように所望の挿入されたコードを動作させるステップ、及び情報のリポジトリにアクセスするための挿入可能なコードの動作を検出するステップを有する方法も提供する。
【発明を実施するための最良の形態】
【００１７】
以下に、本発明の好適実施例について、一例としてターゲットにメッセージを送信するシステムのブロック図を示す図１を参照して説明する。
【００１８】
図１を参照して、ターゲットにメッセージを送信するシステムは概ね参照番号（１）により示されている。本システム（１）は、送信者が操作する送信ワークステーション（２）を含み、シンプルメールトランスファープロトコル（ＳＭＴＰ）やメッセージングアプリケーションプログラムインターフェース（ＭＡＰＩ）のような周知のメール転送プロトコルに従うｅメールメッセージ（３）を、受信ワークステーション（４）の目的の受信者に送信する。受信ワークステーション（４）は使用可能な表示装置（４ａ）を含み、受信したｅメールメッセージの内容を表示する。送信ワークステーション（２）及び受信ワークステーション（４）は、インターネット（５）の形態のオープン通信ネットワークに接続される。
【００１９】
便宜上、通信ネットワーク（５）を図１の破線に示す。また、矢印は通信ネットワークを介して転送される種々のメッセージを表す。
【００２０】
本システム（１）は、インターネットアプリケーションサーバ（６）で実行可能なアプリケーションプログラムのフォームの挿入手段も含み、そのインターネットアプリケーションサーバ（６）の動作について以下に詳細に説明する。決定リポジトリ（７）は、アプリケーションサーバ（６）と関連する記憶媒体（図示しない）に記憶する。決定リポジトリ（７）は、ｅメールメッセージについて既知の（許可された）受信者のレジスタ（８）、及びｅメールメッセージについて既知の（許可された）送信者のレジスタ（９）を含む。さらに、決定リポジトリ（７）は、送信ｅメールメッセージに挿入可能な多数の異なるコードを格納したレジスタ（１０）を含む。さらに、決定リポジトリ（７）は、選択ルールデータベース（１１）を含み、そのデータベースは、送信ｅメールメッセージに挿入される一つのまたはそれ以上の所望のコードを選択するための格納された多数の異なる選択ルールを有する。決定リポジトリはコンフィギュレーション装置（１２）により構成可能であり、許可された送信者のレジスタ（９）における各送信者を、挿入可能なコードを格納したレジスタ（１０）におけるコードのうち対応する好適なコードにリンクする。さらに、決定リポジトリは、許可された受信者のレジスタ（８）における各受信者を、挿入可能なコードを格納したレジスタ（１０）におけるコードのうち対応する好適なコードにリンクするようにも構成可能である。そして、挿入可能なコードのレジスタ（１０）における一つのコードは、デフォルトの挿入可能なコードになるように構成可能である。
【００２１】
選択ルールのデータベース（１１）に格納された選択ルールの第１のルールでは、ｅメールメッセージの受信者が、許可された受信者の情報を格納したレジスタ（８）に表れる許可された受信者である場合、そのメッセージの受信者に対応してリンクした好適なコードをそのメッセージに挿入される所望のコードとして選択する。選択ルールのデータベース（１１）に格納された選択ルールの第２のルールでは、メッセージの受信者が許可された受信者でなく、送信者が許可された送信者の情報を格納したレジスタ（９）に表れる許可された送信者である場合、そのｅメールメッセージの送信者に対応してリンクした好適なコードをそのメッセージに挿入される所望のコードとして選択する。最後に、選択ルールのデータベース（１１）に格納された選択ルールの第３のルールでは、メッセージの受信者が許可された受信者でなく、その送信者が許可された送信者でない場合、デフォルトの挿入可能なコードをそのｅメールメッセージに挿入される所望のコードとして選択する。
【００２２】
ｅメールメッセージが送信ワークステーション（２）によって目的の受信者に送信される場合、そのメッセージはアプリケーションサーバ（６）に転送されることが一般的に行われる。アプリケーションサーバ（６）のアプリケーションプログラムはｅメールメッセージをスキャンし、そのメッセージから送信者の識別情報及び目的の受信者の識別情報を取り出す。そして、アプリケーションプログラムは、以下のステップに従って、挿入可能なコードのレジスタ（１０）における多数の異なるコードのうち所望のコードを送信ｅメールメッセージに挿入する。
・ｅメールメッセージの受信者の識別情報が、許可された受信者のレジスタ（８）に格納されたエントリ情報に整合する場合、その特定の受信者に対応してリンクした好適なコードが、所望のコードとしてｅメールメッセージに挿入される。
・ｅメールメッセージの受信者の識別情報が、許可された受信者のレジスタ（８）におけるエントリ情報に整合し、対応してリンクした好適なコードがその受信者に対して構成されていない場合、デフォルトの挿入可能なコードが、所望のコードとしてｅメールメッセージに挿入される。
・ｅメールメッセージの受信者の識別情報が、許可された受信者のレジスタ（８）に格納されたいかなるエントリ情報にも整合しない場合、そのｅメールの送信者の識別情報を、許可された送信者のレジスタ（９）におけるエントリと比較される。
・ｅメールメッセージの送信者の識別情報が、許可された送信者のレジスタ（９）に格納されたエントリ情報と整合する場合、その特定の送信者に対応してリンクした好適なコードが、所望のコードとしてｅメールメッセージに挿入される。
・ｅメールメッセージの送信者の識別情報が、許可された送信者のレジスタ（９）に格納されたエントリ情報と整合し、対応してリンクした好適なコードがその送信者に対して構成されていない場合、デフォルトの挿入可能なコードが、所望のコードとしてｅメールメッセージに挿入される。
・ｅメールメッセージの送信者の識別が、許可された送信者のレジスタ（９）に格納されたいかなるエントリ情報にも整合しない場合、デフォルトの挿入可能なコードが、所望のコードとしてｅメールメッセージに挿入される。
【００２３】
上述したように、所望のコードが挿入されると、そのｅメールメッセージは、アプリケーションサーバ（６）によって通信ネットワーク（５）に沿って（図示しない）送信者のインターネットメールサーバを介して目的とする受信者に、当該技術分野において周知でありここでは詳細に説明しない方法で転送される。
【００２４】
目的の受信者がｅメールメッセージを（図示しない）インターネットメールサーバから収集しそのメッセージを開くと、そのメッセージの内容が、挿入されたコードと共に受信ワークステーション（４）に表示される。その挿入されたコードは特定の内容に関係することができ、そのコードは、一般に、表紙、贈呈票、送り状、封筒等のほとんど紙ベースの通信において宣伝企業により使用されるタイプのブランドメッセージまたはマーケティングメッセージのようないくつかの広告データを含むことがわかる。その挿入されたコードは、あらゆるデジタルグラフィック画像、テキストまたは他のデジタルフォーマットを含むことができる。好ましくはハイパーテキスト記述言語（ＨＴＭＬ）のコードが使用され、メッセージを送信する時にグラフィックコンテンツをインポートする。
【００２５】
挿入されたコードは、ＵＲＬアドレスを含むクリック可能なアイコンまたはバナーとして目的の受信者に表示される。アプリケーションサーバ（６）は、目的の受信者によってクリックされたアイコンのクリックスルーを検出し記録するソフトウェアアプリケーションの形態の検出装置（１３）も含む。ＵＲＬアドレスは、一般にインターネットウェブサイトのアドレスであり、目的の受信者をインターネットにおけるワールドワイドウェブの情報のリポジトリに接続するために使用される。
【００２６】
アプリケーションサーバ（６）のアプリケーションプログラムの形態の構成装置（１２）は、決定リポジトリ（７）における許可された受信者の情報を格納したレジスタ（８）から特定の受信者情報を追加し削除するために、システム（１）のユーザにより操作可能である。同様に、構成装置（１２）は、許可された送信者の情報を格納したレジスタ（９）から送信者情報を追加し削除し、及び挿入可能なコードを格納したレジスタ（１０）からコードを追加し削除するために、そのユーザにより操作可能である。さらに、構成装置（１２）は、挿入可能なコードを格納したレジスタ（１０）におけるコードの一つを、許可された受信者及び許可された受信者の一つまたはそれ以上の受信者及び送信者に、それに対応する好適に挿入可能なコードとしてリンクしリンク解除し、及びデフォルトの挿入可能なコードを選択し選択解除するために、操作可能である。
【００２７】
種々のシステムを操作するために必要なソフトウェアは当業者の知識の中に含まれ、本特許明細書のために説明する必要はないことが認められる。
【００２８】
本発明の範囲から逸脱しない範囲で本実施例において種々の変形が可能である。特に、選択のデータベース（１１）は種々の選択ルールを含み、例えば一つ以上の所望のコードをｅメールメッセージに挿入するようにしてもよい。さらに、通信ネットワーク（５）は、クローズ通信ネットワークまたはインターネット以外のオープン通信ネットワークであってもよい。さらに、種々の選択ルールにより、ｅメールメッセージに挿入される所望の挿入可能なコードの選択を決定することができる。さらに、アプリケーションサーバ（６）の機能をビジネスの企業のインターネット通信ネットワークの機能に統合し、それにより企業の通信ネットワークに対する全てのユーザを、許可された送信者の情報を格納したレジスタ（９）における許可された送信者として構成させるようにしてもよい。さらに、アプリケーションサーバ（６）をビジネスの企業の通信ネットワークの既存のファイアーウォールによる保護に統合することにより、企業の通信ネットワークのセキュリティが破壊されるリスクを最小限にするようにしてもよい。
【００２９】
本明細書に使用されている“ワークステーション”の概念がパームパイロット及び同様のサービスを含むことも理解される。
【００３０】
従って、本発明は、インターネットのようなオープン通信ネットワークにおいてターゲットに電子メッセージを送信するシステムを提供する。
【図面の簡単な説明】
【００３１】
【図１】ターゲットにメッセージを送信するシステムのブロック図である。
【図１】
2004523046.tif 000002
【国際公開パンフレット】
2004523046.tif 000003
2004523046.tif 000004
2004523046.tif 000005
2004523046.tif 000006
2004523046.tif 000007
2004523046.tif 000008
2004523046.tif 000009
2004523046.tif 000010
2004523046.tif 000011
2004523046.tif 000012
2004523046.tif 000013
2004523046.tif 000014
2004523046.tif 000015
2004523046.tif 000016
2004523046.tif 000017
2004523046.tif 000018
2004523046.tif 000019
2004523046.tif 000020
2004523046.tif 000021
2004523046.tif 000022
2004523046.tif 000023
2004523046.tif 000024
【国際調査報告】
2004523046.tif 000025
2004523046.tif 000026
2004523046.tif 000027